(57)【特許請求の範囲】
【請求項１】
複数並んで配置される土台プレートと、この土台プレート上に載置される表層部材とを有する高床式マット集合体であって、
前記土台プレートは、板状の土台本体の下側にスタンドが設けられており、
前記土台本体には、前記表層部材が載置される上面部と、前記上面部を取り囲むように上面周縁部が形成され、
前記上面周縁部の全周には、前記土台プレート同士の連結に用いられる被嵌合部が形成されており、
前記被嵌合部に嵌まり合う嵌合部が下面に形成された略平板状の連結部材を有し、
前記連結部材は、隣接する前記土台プレートに掛け渡されて、前記嵌合部が前記被嵌合部に嵌着されることにより、前記土台プレート同士が連結されるように構成されていることを特徴とする高床式マット集合体。
【請求項２】
前記上面周縁部は、前記土台本体の前記上面部より下方に形成されており、
前記連結部材によって、前記土台プレート同士が連結されたときに、前記連結部材の上面が、前記土台本体の前記上面部より上方に突出しないように構成されていることを特徴とする請求項１に記載の高床式マット集合体。
【発明の詳細な説明】
【技術分野】
【０００１】
本発明は、例えば、建物の屋上やベランダなどに人工芝を敷設したり、天然芝（天然芝は、他の植物であってもよい。以下同様）を植栽したりする際に、素人でも簡単に人工芝や天然芝を取り扱うことができるとともに、建物に対する断熱機能、排水・保水機能を発現することが可能な高床式マットおよびマット集合体に関するものである。
【背景技術】
【０００２】
従来、建物の屋上やベランダなどに人工芝を敷設したり、天然芝を植栽したりする際には、それに先立ち、各種のシート（クッション用のアンダーパット、防水シート、防根シート、耐根シートなど）を施工する下地の工事や、人工芝を固定するための接着作業を実施していた。【０００３】
なお、人工芝マットに関しては、ゴルフ練習用のものが提案されている（例えば、特許文献１、２参照）。
【先行技術文献】
【特許文献】
【０００４】
【特許文献１】特開平８−１９３３０５号公報
【特許文献２】特開２０００−３５２００５号公報
【発明の概要】
【発明が解決しようとする課題】
【０００５】
しかしながら、このような下地の工事や人工芝マットの接着作業は、専門の業者に依頼せざるを得ず、また、工期も長引くという不都合があった。【０００６】
また、人工芝マットを建物の屋上などに敷設した場合、とりわけ夏季において、人工芝マットに蓄積された熱が建物に伝わり、その熱で建物内部の温度が上昇してしまうという課題があった。【０００７】
本発明は、このような事情に鑑み、素人でも簡単に人工芝や天然芝を取り扱うことができるばかりでなく、建物内部の温度が上昇することをも食い止めることが可能な高床式マットを提供することを第１の目的とする。また、このような高床式マットからなるマット集合体を提供することを第２の目的とする。
【課題を解決するための手段】
【０００８】
かかる目的を達成するため、本発明に係る高床式マット集合体は、複数並んで配置される土台プレートと、この土台プレート上に載置される表層部材とを有する高床式マット集合体であって、前記土台プレートは、板状の土台本体の下側にスタンドが設けられており、前記土台本体には、前記表層部材が載置される上面部と、前記上面部を取り囲むように上面周縁部が形成され、前記上面周縁部の全周には、前記土台プレート同士の連結に用いられる被嵌合部が形成されており、前記被嵌合部に嵌まり合う嵌合部が下面に形成された略平板状の連結部材を有し、前記連結部材は、隣接する前記土台プレートに掛け渡されて、前記嵌合部が前記被嵌合部に嵌着されることにより、前記土台プレート同士が連結されるように構成されていることを特徴とする。
【０００９】
また、本発明に係る高床式マット集合体において、前記上面周縁部は、前記土台本体の前記上面部より下方に形成されており、前記連結部材によって、前記土台プレート同士が連結されたときに、前記連結部材の上面が、前記土台本体の前記上面部より上方に突出しないように構成されていてもよい。
【００１０】
また、本発明に係る高床式マットにおいて、前記表層部材は、前記土台プレートに対して着脱自在に設けられ、当該表層部材を前記土台プレートに位置決めする位置決め構造が設けられていてもよい。【００１４】
また、本発明に係る高床式マットにおいて、前記スタンドは、前記土台本体の周縁近傍に設けられて、前記土台本体の周縁に荷重が加わったときに当該土台プレートが跳ね上がる事態を防止するように構成されていてもよい。【００１５】
また、本発明に係る高床式マットにおいて、前記スタンドは、前記土台本体に対して着脱自在に取り付けられていてもよい。【００１７】
また、本発明に係る高床式マットにおいて、前記表層部材は、合成樹脂製の基板に人工芝が貼り合わされて一体化された資材、人工芝からなる資材、合成樹脂製の基板に透水性の防根シートが貼り合わされた資材、植栽された天然芝を有する資材、デッキ材からなる資材または植栽等するためにプランター形状化した資材であってもよい。【００１８】
さらに、本発明に係るマット集合体は、上述した複数の高床式マットが水平方向に連結されていることを特徴とする。
【発明の効果】
【００１９】
本発明に係る高床式マット集合体によれば、各高床式マットは、土台プレート上に表層部材が載置されて構成されているため、建物の屋上に素人でも簡単に敷設することが可能となる。
【００２０】
また、本発明に係る高床式マット集合体において、土台プレートの被嵌合部が、土台本体の上面より少し下に位置しているため、連結部材の嵌合部を嵌着しても、この連結部材が土台本体の上面より上に突出することはなく、土台プレート上に表層部材を支障なく載置することができる。
【図面の簡単な説明】
【００３０】
【図１】本発明の実施の形態１に係るマット集合体を示す図であって、（ａ）はその正面図、（ｂ）はその底面図である。
【図２】同実施の形態１に係る高床式マットを示す図であって、（ａ）はその正面図、（ｂ）はその底面図である。
【図３】同実施の形態１に係る高床式マットのスタンドを示す図であって、（ａ）はその正面図、（ｂ）はその平面図、（ｃ）はその底面図である。
【図４】同実施の形態１に係る高床式マットの保水容器を示す図であって、（ａ）はその正面図、（ｂ）はその平面図である。
【図５】本発明の実施の形態２に係る高床式マットの表層部材を示す図であって、（ａ）はその正面図、（ｂ）はその底面図である。
【図６】同実施の形態２に係る高床式マットの土台プレートを示す図であって、（ａ）はその正面図、（ｂ）はその平面図、（ｃ）はその底面図である。
【図７】本発明の実施の形態３に係るマット集合体を示す斜視図である。
【図８】同実施の形態３に係るマット集合体の一部（高床式マットの表層部材を取り除いたもの）を示す斜視図である。
【図９】同実施の形態３に係る高床式マットの表層部材を示す斜視図である。
【図１０】同実施の形態３に係る高床式マットの保水容器を示す斜視図である。
【図１１】同実施の形態３に係る高床式マットの連結部材を斜め下から見た斜視図である。
【発明を実施するための形態】
【００３１】
以下、本発明の実施の形態について説明する。
【００３２】
［発明の実施の形態１］
図１乃至図４には、本発明の実施の形態１を示す。なお、図２（ｂ）においては、スタンド３３の図示を省略している。
【００３３】
実施の形態１に係るマット集合体１は、図１に示すように、９枚の高床式マット２が３行３列のマトリックス状で水平方向（図１（ｂ）上下左右方向）に連結されて構成されており、所定の大きさ（例えば、縦１８０ｃｍ、横１８０ｃｍ、高さ５ｃｍ）の略長方形板状を呈している。
【００３４】
各高床式マット２はそれぞれ、図２に示すように、硬質の合成樹脂（例えば、ポリスチレン、ポリカーボネート、ＡＢＳ樹脂など）からなる土台プレート３と、この土台プレート３上に載置されて固定された平板状の表層部材４とから構成されている。
【００３５】
ここで、土台プレート３は、図２に示すように、略正方形板状の土台本体３１を有している。土台本体３１の９箇所の透水領域Ａには、多数の第１の透水孔３２が上下方向（図２（ｂ）紙面に直角な方向）に貫通して形成されている。また、土台本体３１の周囲には、この土台本体３１を水平方向に複数連結するための複数個（この実施の形態１では１５個）の蟻掛け形状の連結片３５が所定の間隔で配設されている。さらに、土台本体３１の下側には、１６個の略円柱状のスタンド（脚部）３３が着脱自在に螺着されて、土台本体３１の下方に断熱空間Ｓを形成するように構成されている。
【００３６】
すなわち、各スタンド３３はそれぞれ、図３に示すように、所定の大きさ（例えば、直径５ｃｍ、高さ２ｃｍ）の円柱状のスタンド本体３３ａの上面に雄ねじ部３３ｂが一体に立設された構造を有している。また、土台本体３１の下面には、図２（ｂ）に示すように、１６個の雌ねじ部３４が凹設されている。そして、これらの雌ねじ部３４にスタンド３３の雄ねじ部３３ｂがねじ込まれて装着されている。
【００３７】
なお、１６個の雌ねじ部３４のうち４個の雌ねじ部３４は、図２（ｂ）に示すように、土台本体３１の四隅（周縁近傍）に配置されている。そのため、これら４個の雌ねじ部３４に螺着されている４個のスタンド３３も、図１（ｂ）に示すように、同じ位置（土台本体３１の四隅）に配置されている。
【００３８】
また、断熱空間Ｓには、図１に示すように、保水容器（保水槽）５が設置されている。この保水容器５は、図４に示すように、略長方形箱状の容器本体５１を有している。容器本体５１の上面には、その全面にわたって開口部５２が形成されている。そのため、保水容器５は、開口部５２を介して大気に連通した状態になっている。ここで、保水容器５の開口部５２は、図１（ｂ）に示すように、土台プレート３の第１の透水孔３２の下方に位置している。さらに、容器本体５１の側面には、８個のスタンド回避部５３が凹設されている。
【００３９】
一方、表層部材４は、合成樹脂製の基板（その形状は板状でも容器でも構わない）に、直接または衝撃緩和用のゴムやシリコーン樹脂、ウレタン素材などからなる弾性マットを介して、人工芝が貼り合わされて一体化された資材である。そして、この表層部材４には、図２（ａ）に示すように、ほぼ全面にわたって多数の丸孔状の第２の透水孔４１が上下方向（図２（ａ）上下方向）に貫通して形成されている。
【００４０】
マット集合体１は以上のような構成を有するので、建物の屋上に人工芝を敷設する際には、図１（ａ）に示すように、複数の高床式マット２が水平方向に連結されたマット集合体１を建物の屋上Ｒに敷設する。
【００４１】
このとき、各高床式マット２の土台プレート３には、上述したとおり、土台本体３１を水平方向に複数連結するための連結片３５が土台本体３１の周囲に設けられているので、高床式マット２を敷設すべき場所、つまり建物の屋上Ｒの面積や形状に応じて高床式マット２を適宜連結することにより、建物の屋上Ｒに過不足が生じることなく、人工芝を敷設することができる。
【００４２】
また、このマット集合体１においては、各高床式マット２が土台プレート３の連結片３５を介して水平方向に連結されているので、マット集合体１を長期にわたって使用しても、高床式マット２が水平方向に位置ずれを起こす不都合は生じない。
【００４３】
なお、こうして建物の屋上Ｒに敷設されたマット集合体１においては、雨水などの水が、各高床式マット２の表層部材４の第２の透水孔４１および土台プレート３の第１の透水孔３２を通過したり、高床式マット２同士の隙間を通過したりして流れ落ち、その一部は保水容器５に貯留されることになる。したがって、例えば、このマット集合体１上に天然芝を植栽した場合には、この天然芝の乾燥を防ぐことが可能となる。
【００４４】
このように、各高床式マット２は、その表層部材４が合成樹脂製の基板に人工芝が貼り合わされて一体化された資材であるため、建物の屋上Ｒに素人でも簡単に人工芝を敷設することができる。
【００４５】
しかも、各高床式マット２では、上述したとおり、土台プレート３の土台本体３１の下方に断熱空間Ｓが形成されているので、高床式マット２による断熱性を高めることができる。したがって、これらの高床式マット２を建物の屋上などに敷設すると、とりわけ夏季において、太陽光によって高床式マット２に熱が蓄積されても、その熱が建物に伝わりにくくなる。その結果、熱による建物内部の温度上昇を高床式マット２で食い止めることが可能となる。
【００４６】
また、各高床式マット２では、上述したとおり、断熱空間Ｓに保水容器５が大気に連通して設けられているので、この保水容器５に貯留された雨水などの水の気化熱による冷却効果を発現させることができる。その結果、夏季において、建物内部の温度上昇を抑制することが可能となる。
【００４７】
その上、この保水容器５は、上述したとおり、その開口部５２が土台プレート３の第１の透水孔３２の下方に位置するように設置されているので、雨水などの水を第１の透水孔３２から保水容器５に効率よく導いて溜めることができる。このとき、この保水容器５には、上述したとおり、容器本体５１の側面にスタンド回避部５３が凹設されているので、図１（ｂ）に示すように、土台プレート３のスタンド３３との干渉を避けつつ、雨水などの水を最大限に集めることが可能となる。
【００４８】
また、各高床式マット２では、上述したとおり、土台プレート３の４個のスタンド３３が土台本体３１の四隅に配置されているため、土台本体３１の周縁に荷重が加わったときに土台プレート３が跳ね上がる事態を防止することができる。その結果、高床式マット２の施工後の安全性を高めることが可能となる。
【００４９】
また、各高床式マット２では、上述したとおり、表層部材４が土台プレート３に固定されているので、これらの表層部材４と土台プレート３とが一体になり、高床式マット２の取扱い性を高めることができる。
【００５０】
さらに、各高床式マット２では、上述したとおり、土台プレート３のスタンド３３が土台本体３１に対して着脱自在に螺着されているので、たとえ高床式マット２の設置面、つまり建物の屋上Ｒに凹凸があったとしても、その凹凸に応じてスタンド３３の高さ（ねじ込み量）を適宜調整することにより、この凹凸を吸収して土台本体３１を水平に安定して設置することが可能となる。
【００５１】
［発明の実施の形態２］
図５および図６には、本発明の実施の形態２を示す。なお、図６（ｃ）においては、スタンド３３の図示を省略している。
【００５２】
実施の形態２に係るマット集合体１を構成する各高床式マット２はそれぞれ、表層部材４が土台プレート３に固定されているのではなく、図５および図６に示すように、表層部材４（図５参照）が土台プレート３（図６参照）に対して着脱自在に設けられている。また、表層部材４を土台プレート３に位置決めする位置決め構造が設けられており、この位置決め構造としては、凹部に凸部が嵌合して位置決めする凹凸嵌合方式が採用されている。そして、この凹凸嵌合方式の位置決め構造の凹部の一部として、表層部材４の第２の透水孔４１が利用されている。
【００５３】
すなわち、表層部材４には、図５に示すように、ほぼ全面にわたって多数の丸孔状の第２の透水孔４１が所定のピッチで上下方向（図５（ｂ）紙面に直角な方向）に貫通して形成されている。他方、土台プレート３の上面には、図６（ａ）に示すように、４行４列の１６箇所に多数のほぼ半球状の凸部３６が、５行５列の２５個ずつまとまって第２の透水孔４１と同じピッチで形成されている。そして、この凸部３６が第２の透水孔４１に嵌合することにより、表層部材４を土台プレート３に所定のピッチ単位でずらして位置決めすることができるように構成されている。
【００５４】
その他の構成については、上述した実施の形態１と基本的に同様であるので、同一の部材については、同一の符号を付してその説明を省略する。
【００５５】
したがって、この実施の形態２では、上述した実施の形態１と同じ作用効果を奏する。
【００５６】
これに加えて、上述した実施の形態１では、各高床式マット２において、表層部材４が土台プレート３に固定されているのに対して、この実施の形態２では、表層部材４が土台プレート３に対して着脱自在に設けられているので、これらの表層部材４と土台プレート３とが互いに分離可能になる。したがって、表層部材４と土台プレート３の一方の部品のみが損傷を受けた場合には、この損傷を受けた部品（表層部材４または土台プレート３）だけを修理または交換すれば済み、高床式マット２全体を交換する必要はない。したがって、この実施の形態２では、上述した実施の形態１に比べて、高床式マット２の維持費を抑制することができる。
【００５７】
また、この実施の形態２では、上述したとおり、表層部材４を土台プレート３に位置決めする位置決め構造が設けられているので、表層部材４を土台プレート３に容易かつ迅速に位置決めすることができる。しかも、この位置決め構造の凹部の一部として表層部材４の第２の透水孔４１が用いられているので、高床式マット２の構成を簡略化することができ、ひいては高床式マット２の製造コストを削減することが可能となる。
【００５８】
［発明の実施の形態３］
図７乃至図１１には、本発明の実施の形態３を示す。
【００５９】
実施の形態３に係るマット集合体１は、図７に示すように、１０枚の高床式マット２が概ね２行４列のマトリックス状で水平方向に連結されて構成されており、所定の大きさの略長方形板状を呈している。但し、これら１０枚の高床式マット２は、６枚の高床式マット２が標準の面積を有しており、２枚の高床式マット２が標準の約２／３の面積を有しており、２枚の高床式マット２が標準の約１／３の面積を有している。
【００６０】
各高床式マット２はそれぞれ、図７および図８に示すように、硬質の合成樹脂（例えば、ポリスチレン、ポリカーボネート、ＡＢＳ樹脂など）からなる土台プレート３と、この土台プレート３上に着脱自在に載置された表層部材４とから構成されている。
【００６１】
ここで、土台プレート３は、図８に示すように、略長方形板状または略正方形板状の土台本体３１を有している。土台本体３１の中央部には、１〜３個の丸孔状の第１の透水孔３２が上下方向に貫通して形成されている。また、土台本体３１の上面には、２箇所、４箇所または６箇所に９個の凸部３６が３行３列のマトリックス状に形成されている。さらに、土台本体３１の上面の周縁部には、多数の短円筒状の突起が集合した四角枠状の被嵌合部３７が、土台本体３１の上面より少し下に位置して形成されている。また、土台本体３１の下側には、土台プレート３の外形に沿う形で四角枠状のスタンド（脚部）３３が一体に取り付けられて、土台本体３１の下方に断熱空間Ｓを形成するように構成されている。
【００６２】
この断熱空間Ｓには、図８に示すように、保水容器（保水槽）５が設置されている。この保水容器５は、図１０に示すように、土台プレート３の土台本体３１のほぼ全面に対応する略長方形皿状の容器本体５１を有している。容器本体５１の上面には、その全面にわたって開口部５２が形成されている。そのため、保水容器５は、開口部５２を介して大気に連通した状態になっている。ここで、保水容器５の開口部５２は、図８に示すように、土台プレート３の第１の透水孔３２の下方に位置している。
【００６３】
一方、表層部材４は、図９に示すように、植栽等するためにプランター（容器）形状化した資材であり、合成樹脂製のプランター本体４２を有している。プランター本体４２の底部には、多数の四角孔状の第２の透水孔４１が上下方向に貫通して形成されており、これら第２の透水孔４１の形成位置は、図７および図８に示すように、土台プレート３の第１の透水孔３２の上方に対応している。また、プランター本体４２の底面には、土台プレート３の凸部３６と嵌合しうる凹部４３が形成されており、土台プレート３上に表層部材４が載置された状態では、土台プレート３の凸部３６と表層部材４の凹部４３とが嵌合している。つまり、これらの凸部３６および凹部４３は、表層部材４を土台プレート３に位置決めする凹凸嵌合方式の位置決め構造になっている。
【００６４】
なお、土台プレート３には、実施の形態１、２のような連結片３５は設けられておらず、その代わりに、略平板状の複数の連結部材６で複数の土台プレート３が水平方向に連結されるように構成されている。すなわち、各連結部材６はそれぞれ、図１１に示すように、平板状の基板６２を有しており、基板６２の下面には、２０個の略円柱状の嵌合部６１が、基板６２の長手方向の両側に１０個ずつ分かれてそれぞれ２行５列のマトリックス状に配置されて下向きに突設されている。そして、互いに隣接する２個の土台プレート３間に複数（例えば、２枚、３枚）の連結部材６を掛け渡し、各土台プレート３の被嵌合部３７に連結部材６の嵌合部６１を嵌着することにより、２個の土台プレート３を連結部材６で水平方向に連結することが可能となる。このとき、土台プレート３の被嵌合部３７は、上述したとおり、土台本体３１の上面より少し下に位置しているため、連結部材６の嵌合部６１を嵌着しても、この連結部材６が土台本体３１の上面より上に突出することはなく、したがって、土台プレート３上に表層部材４を支障なく載置することができる。
【００６５】
マット集合体１は以上のような構成を有するので、建物の屋上にマット集合体１を敷設する際には、実施の形態１と同様に、複数の高床式マット２が水平方向に連結されたマット集合体１を建物の屋上に設置する。
【００６６】
このとき、マット集合体１は、上述したとおり、高床式マット２の土台プレート３が連結部材６によって互いに連結しうるように構成されているので、マット集合体１を敷設すべき場所、つまり建物の屋上の面積や形状に応じて高床式マット２を適宜連結することにより、建物の屋上に過不足が生じることなく、マット集合体１を設置することができる。
【００６７】
また、このマット集合体１においては、各高床式マット２が連結部材６を介して水平方向に連結されているので、マット集合体１を長期にわたって使用しても、高床式マット２が水平方向に位置ずれを起こす不都合は生じない。
【００６８】
なお、こうして建物の屋上に敷設されたマット集合体１においては、雨水などの水が、各高床式マット２の表層部材４の第２の透水孔４１および土台プレート３の第１の透水孔３２を通過したり、高床式マット２同士の隙間を通過したりして流れ落ち、その一部は保水容器５に貯留されることになる。したがって、例えば、このマット集合体１のプランター形状の表層部材４で草花を栽培する場合には、この草花の乾燥を防ぐことが可能となる。
【００６９】
さらに、各高床式マット２は、土台プレート３上に表層部材４が載置されて構成されているため、建物の屋上に素人でも簡単に敷設することができる。
【００７０】
しかも、各高床式マット２では、上述したとおり、土台プレート３の土台本体３１の下方に断熱空間Ｓが形成されているので、高床式マット２による断熱性を高めることができる。したがって、これらの高床式マット２を建物の屋上などに敷設すると、とりわけ夏季において、太陽光によって高床式マット２に熱が蓄積されても、その熱が建物に伝わりにくくなる。その結果、熱による建物内部の温度上昇を高床式マット２で食い止めることが可能となる。
【００７１】
また、各高床式マット２では、上述したとおり、断熱空間Ｓに保水容器５が大気に連通して設けられているので、この保水容器５に貯留された雨水などの水の気化熱による冷却効果を発現させることができる。その結果、夏季において、建物内部の温度上昇を抑制することが可能となる。
【００７２】
その上、この保水容器５は、上述したとおり、その開口部５２が土台プレート３の第１の透水孔３２の下方に位置するように設置されているので、雨水などの水を第１の透水孔３２から保水容器５に効率よく導いて溜めることができる。
【００７３】
さらに、保水容器５の容器本体５１は、上述したとおり、土台プレート３の土台本体３１のほぼ全面に対応しているので、表層部材４に植栽された植物（草木）の根が表層部材４の第２の透水孔４１および土台プレート３の第１の透水孔３２を通って下向きに伸びても、この根が建物の屋上のアスファルト等の下地材へ侵入する事態を保水容器５の容器本体５１によって防ぐことができる。したがって、防根シートや耐根シートなどを施工する必要がなくなり、この点からも高床式マット２を簡単に敷設することが可能となる。
【００７４】
また、各高床式マット２では、上述したとおり、土台プレート３のスタンド３３が土台プレート３の外形に沿って取り付けられているため、土台本体３１の周縁に荷重が加わったときに土台プレート３が跳ね上がる事態を防止することができる。その結果、高床式マット２の施工後の安全性を高めることが可能となる。
【００７５】
さらに、各高床式マット２では、上述したとおり、表層部材４が土台プレート３に対して着脱自在に設けられているので、これらの表層部材４と土台プレート３とが互いに分離可能になる。したがって、表層部材４と土台プレート３の一方の部品のみが損傷を受けた場合には、この損傷を受けた部品（表層部材４または土台プレート３）だけを修理または交換すれば済み、高床式マット２全体を交換する必要はない。したがって、高床式マット２の維持費を抑制することができる。
【００７６】
なお、この実施の形態３では、図７乃至図１１に示す構造以外を、上述した実施の形態１と同様としてもよく、上述した実施の形態２と同様としても構わない。
【００７７】
［発明のその他の実施の形態］
なお、上述した実施の形態１では、表層部材４の第２の透水孔４１が丸孔状である高床式マット２について説明した。しかし、この第２の透水孔４１の形状は、雨水などの水が通過しうるものである限り、丸孔状以外の形状（例えば、四角孔状、六角孔状など）であってもよいことは言及するまでもない。また、この第２の透水孔４１は、雨水などの水が通過しうるものである限り、その大きさや個数が限定されないことは勿論である。
【００７８】
また、上述した実施の形態２では、土台プレート３の凸部３６がほぼ半球状であるとともに、表層部材４の第２の透水孔４１が丸孔状である高床式マット２について説明した。しかし、土台プレート３の凸部３６と表層部材４の第２の透水孔４１とが嵌合しうるものである限り、この凸部３６の形状は、ほぼ半球状以外の形状（例えば、円錐状、角錐状など）であってもよく、この第２の透水孔４１の形状は、丸孔状以外の形状（例えば、四角孔状、六角孔状など）であっても構わない。また、この第２の透水孔４１は、雨水などの水が通過しうるものである限り、その大きさや個数が限定されないことは勿論である。
【００７９】
また、上述した実施の形態３では、表層部材４の第２の透水孔４１が四角孔状である高床式マット２について説明した。しかし、この第２の透水孔４１の形状は、雨水などの水が通過しうるものである限り、四角孔状以外の形状（例えば、丸孔状、六角孔状など）であってもよいことは言及するまでもない。また、この第２の透水孔４１は、雨水などの水が通過しうるものである限り、その大きさや個数が限定されないことは勿論である。
【００８０】
また、上述した実施の形態２では、土台プレート３の上面に多数の凸部３６が散在するように形成された場合について説明したが、これらの凸部３６は、第１の透水孔３２を除いて土台プレート３の上面全面に形成しても構わない。
【００８１】
また、上述した実施の形態３では、土台プレート３の上面に多数の凸部３６が散在するように形成された場合について説明したが、これらの凸部３６は、第１の透水孔３２および被嵌合部３７を除いて土台プレート３の上面全面に形成しても構わない。
【００８２】
また、上述した実施の形態２では、土台プレート３の上面に凸部３６を形成し、この凸部３６を表層部材４の第２の透水孔４１に嵌合させることにより、表層部材４を土台プレート３に位置決めする場合について説明した。しかし、これに代えて、或いは、これに加えて、表層部材４の下面に凸部（図示せず）を形成し、この凸部を土台プレート３の第１の透水孔３２に嵌合させることにより、表層部材４を土台プレート３に位置決めするように構成することも可能である。
【００８３】
また、上述した実施の形態１〜３では、高床式マット２の土台プレート３上に１個の表層部材４が載置されている場合について説明したが、この表層部材４は複数（２個以上）であってもよい。
【００８４】
また、上述した実施の形態１、２では、土台プレート３のスタンド３３が土台本体３１に対して着脱自在に螺着されている場合について説明した。しかし、土台本体３１に対するスタンド３３の取付方式としては、この螺着方式の他にも種々考えられる。例えば、土台本体３１に対してスタンド３３を嵌着方式で着脱自在に取り付けても構わない。ここで、嵌着方式とは、土台本体３１およびスタンド３３のいずれか一方に凸部などの嵌着部を形成するとともに、他方に凹部などの被嵌着部を形成し、嵌着部を被嵌着部にはめ込んで装着する方式を意味する。この嵌着方式の場合、高さの異なる複数のスタンド３３を用意しておき、建物の屋上Ｒの凹凸に応じてスタンド３３を適宜選択することにより、この凹凸を吸収して土台本体３１を水平に安定して設置することが可能となる。また、螺着方式であれ、嵌着方式であれ、或いは、それ以外の取付方式であれ、土台本体３１に対してスタンド３３が着脱自在に取り付けられていれば、これらの土台本体３１とスタンド３３とが互いに分離可能になる。そのため、土台本体３１とスタンド３３の一方の部品のみが損傷を受けた場合には、この損傷を受けた部品（土台本体３１またはスタンド３３）だけを修理または交換すれば済み、土台プレート３全体を交換する必要はない。したがって、土台プレート３の維持費を抑制することができる。無論、こうした土台プレート３の維持費を抑制する必要がなければ、スタンド３３を土台本体３１に固定して設けても構わない。
【００８５】
また、上述した実施の形態１〜３では、建物の屋上Ｒに人工芝を敷設する場合について説明したが、建物の屋上Ｒ以外の場所（例えば、ベランダ、バルコニー、テラスなど）に人工芝を敷設する場合に本発明を同様に適用することも可能である。
【００８６】
また、上述した実施の形態１、２では、高床式マット２の表層部材４として、合成樹脂製の基板に人工芝が貼り合わされて一体化された資材を用いる場合について説明したが、この表層部材４は、このような資材に限るわけではない。例えば、人工芝からなる資材を高床式マット２の表層部材４として用いることもできる。また、合成樹脂製の基板（その形状は板状でも容器でも構わない）に透水性の防根シートが貼り合わされた資材（さらに、透水性の耐根シートなどが貼り合わされていてもよい）を高床式マット２の表層部材４として用いることもできる。この場合、天然芝の植栽に必要な防根シートや耐根シートなどが表層部材４に備わっているため、この表層部材４の上に、任意の植栽された天然芝を敷くことができ、素人には手に負えない下地の工事を省くことが可能となる。さらに、植栽された天然芝を有する資材や、デッキ材（例えば、樹脂製デッキ材、人工木デッキ材、天然木製デッキ材など）からなる資材を高床式マット２の表層部材４として用いることもできる。
【００８７】
また、上述した実施の形態３では、表層部材４が土台プレート３に対して着脱自在に設けられた高床式マット２について説明したが、表層部材４を土台プレート３に固定しても構わない。
【００８８】
また、上述した実施の形態３では、土台プレート３に連結片３５が設けられていない場合ついて説明したが、実施の形態１、２と同様に、土台プレート３の土台本体３１またはスタンド３３の周囲に連結片３５を設けることも可能である。
【００８９】
さらに、上述した実施の形態１、２では、９枚の高床式マット２が水平方向に連結されてマット集合体１が構成されている場合について説明し、上述した実施の形態３では、１０枚の高床式マット２が水平方向に連結されてマット集合体１が構成されている場合について説明した。しかし、マット集合体１を構成する高床式マット２の枚数は、９枚や１０枚に限るわけではなく、１〜８枚または１１枚以上でもよい。
【産業上の利用可能性】
【００９０】
本発明は、戸建て住宅や集合住宅（マンション、アパート）などの建物の屋上やベランダ、バルコニー、テラス、或いは、保育園の遊戯室、ショッピングセンターの屋内・屋外遊戯場その他に人工芝を敷設したり、天然芝を植栽したりする際に、幅広く適用することができる。
【符号の説明】
【００９１】
１……マット集合体
２……高床式マット
３……土台プレート
４……表層部材
５……保水容器
６……連結部材
３１……土台本体
３２……第１の透水孔
３３……スタンド
３３ａ……スタンド本体
３３ｂ……雄ねじ部
３４……雌ねじ部
３５……連結片
３６……凸部
３７……被嵌合部
４１……第２の透水孔
４２……プランター本体
４３……凹部
５１……容器本体
５２……開口部
５３……スタンド回避部
６１……嵌合部
６２……基板
Ａ……透水領域
Ｒ……建物の屋上
Ｓ……断熱空間
【図１】
0006590374.tif 000002
【図２】
0006590374.tif 000003
【図３】
0006590374.tif 000004
【図４】
0006590374.tif 000005
【図５】
0006590374.tif 000006
【図６】
0006590374.tif 000007
【図７】
0006590374.tif 000008
【図８】
0006590374.tif 000009
【図９】
0006590374.tif 000010
【図１０】
0006590374.tif 000011
【図１１】
0006590374.tif 000012